(57)【要約】【課題】室内の消臭効果及び抗菌効果を容易に維持できるエレベータのカゴを提供する。【解決手段】一実施形態に係るエレベータのカゴは、室内に、光源と、光触媒化合物と、担体と、を備える。光触媒化合物は、光源からの光を照射される。担体は、光触媒を担持する。【選択図】図３
2017100854.tif 000002
【特許請求の範囲】
【請求項１】
光源と、
前記光源からの光を照射される光触媒化合物と、
前記光触媒を担持する担体と、
を室内に備えるエレベータのカゴ。
【請求項２】
前記光触媒化合物は、酸化チタン化合物又は酸化タングステン化合物である
請求項１に記載のエレベータのカゴ。
【請求項３】
前記担体は、前記光源からの前記光を透過させる透光性シート、前記室内の壁面の少なくとも一部、又は前記光源からの前記光を反射させる反射材である
請求項１又は請求項２に記載のエレベータのカゴ。
【請求項４】
前記室内の空気を循環させる換気装置を備え、
前記光触媒化合物は、前記前記換気装置が生じさせる気流の流路上に配置される
請求項１乃至請求項３のいずれか１項に記載のエレベータのカゴ。
【請求項５】
前記光源からの前記光を拡散させる光拡散部材を備える
請求項１乃至請求項４のいずれか１項に記載のエレベータのカゴ。
【発明の詳細な説明】
【技術分野】
【０００１】
本発明の実施形態は、エレベータのカゴに関する。
【背景技術】
【０００２】
エレベータのカゴは、密室であるため、カゴ内に臭いが付着し、利用者に不快感を与えることがある。また、カゴ内に持ち込まれたウィルスや菌が繁殖し、不衛生な状態になることもある。
【０００３】
そこで、従来、臭気検出センサと、イオン発生器と、を備えたカゴが提案されている。このカゴでは、カゴ内の臭気を臭気検出センサにより検出し、臭気が一定の強さになると、イオン発生器がイオンを発生させる。具体的には、イオン発生器が、その放出針に高電圧を印加し、プラズマ放電を発生させることにより、放出針の周囲の空気をイオン化する。イオン発生器が発生させたイオンにより、臭いの原因物質が酸化分解され、ウィルスなどが不活性化される。この結果、カゴ内を消臭及び抗菌することができる。
【０００４】
イオン発生器の放出針は、放電を繰り返すと、化学変化により劣化することがある。放出針が劣化すると、発生するイオンが減少したり、有害なオゾンが発生したりする恐れがある。このため、上記従来のカゴでは、消臭効果及び抗菌効果を持続させるために、定期的にイオン発生器を交換する必要がある。
【０００５】
また、イオン発生器は、長期間連続して使用すると、寿命が短くなる。このため、イオン発生器を長寿命化するためには、イオン発生器を断続的に駆動させるための制御装置が必要となる。
【０００６】
このように、イオン発生器を備えた従来のカゴでは、消臭効果及び抗菌効果を維持するために、定期的な交換作業や制御システムの構築が必要であった。
【先行技術文献】
【特許文献】
【０００７】
【特許文献１】特開２００４−９９２０５号公報
【発明の概要】
【発明が解決しようとする課題】
【０００８】
室内の消臭効果及び抗菌効果を容易に維持できるエレベータのカゴを提供する。
【課題を解決するための手段】
【０００９】
一実施形態に係るエレベータのカゴは、室内に、光源と、光触媒化合物と、担体と、を備える。光触媒化合物は、光源からの光を照射される。担体は、光触媒を担持する。
【図面の簡単な説明】
【００１０】
【図１】第１実施形態に係るカゴの概略構成を示す斜視図。
【図２】図１の断面図。
【図３】図２の天井部分を拡大した部分拡大断面図。
【図４】側板に設けられた開口部の一例を示す平面図。
【図５】枠体の一例を示す斜視図。
【図６】枠体に対する透光性シートの固定部分を拡大した部分拡大断面図。
【図７】換気装置が生じさせる気流を説明する部分拡大断面図。
【図８】換気装置が生じさせる気流を説明する部分拡大断面図。
【図９】枠体に対する透光性シートの固定部分を拡大した部分拡大断面図。
【図１０】第３実施形態に係るカゴの天井部分を拡大した部分拡大断面図。
【図１１】換気装置が生じさせる気流を説明する部分拡大断面図。
【図１２】換気装置が生じさせる気流を説明する部分拡大断面図。
【図１３】第４実施形態に係るカゴの天井部分を拡大した部分拡大断面図。
【図１４】第５実施形態に係るカゴの概略構成を示す断面図。
【図１５】図１４の天井部分を拡大した部分拡大断面図。
【発明を実施するための形態】
【００１１】
以下、本発明の実施形態について図面を参照して説明する。
【００１２】
（第１実施形態）
第１実施形態に係るエレベータのカゴについて、図１〜図８を参照して説明する。図１は、本実施形態に係るカゴの概略構成を示す斜視図である。図２は、図１の断面図である。
【００１３】
図１及び図２に示すように、本実施形態に係るカゴは、カゴ本体１と、照明器具２と、換気装置３と、を備える。
【００１４】
カゴ本体１は、天井１１と、側板１２と、床板１３と、ドア１４と、により構成される。図１の例では、カゴは、ドア１４を１つだけ備えるが、２つ備えてもよい。以下では、カゴ本体１の内側を、カゴの室内という。図示省略されているが、カゴの室内には、カゴ呼び釦、戸開、及び戸閉釦などを備える操作パネルが設けられる。
【００１５】
照明器具２は、直接照明であり、室内の天井１１に設置される。図３は、図１の天井１１部分を拡大した部分拡大断面図である。図３に示すように、照明器具２は、照明ケース２１と、光源２２と、枠体２３と、光拡散部材２４と、透光性シート２５と、光触媒化合物２６と、を備える。
【００１６】
照明ケース２１は、照明ケース２１の筐体である。光源２２及び枠体２３は、照明ケース２１に対して固定される。照明ケース２１を用いることにより、照明器具２の施工性を高めることができる。
【００１７】
図３の照明ケース２１は、天板２１１と、側板２１２と、を備える。天板２１１は、天井１１に固定される。側板２１２は、天板２１１から垂直な方向（図３における下方向）に延びており、少なくとも一部に開口部２１３を有する。
【００１８】
図４は、側板２１２に設けられた開口部２１３の一例を示す平面図である。図４の例では、側板２１２は、略矩形の開口部２１３を複数設けられている。側板２１２は、このような開口部２１３を、全面に設けられてもよいし、一部に設けられてもよい。また、開口部２１３の形状は、任意に設計可能である。
【００１９】
ただし、各開口部２１３は、照明ケース２１の内側にゴミや虫など（以下、「ゴミ等」という）が侵入しにくいように、小さく、又は細く形成されるのが好ましい。例えば、図４の開口部２１３は、長径が２０ｃｍ以下、短径が２ｃｍ以下に形成されるのが好ましい。
【００２０】
このように、側板２１２に開口部２１３を設けることにより、照明ケース２１の内側の空気と、外側の空気と、を換気させることができる。また、照明ケース２１を軽量化することができる。
【００２１】
なお、側板２１２は、図４のような換気のための開口部２１３とは別に、後述する換気装置３の換気口３２に対応する開口部を有してもよい。
【００２２】
また、照明ケース２１は、天板２１１及び側板２１２の内面の少なくとも一部に、光源２２からの光を反射させる反射材を備えてもよい。反射材は、ミラーであってもよいし、光を反射しやすいように塗装された照明ケース２１の内面であってもよい。照明ケース２１の内面に反射材を設けることにより、照明器具２の照度を向上させることができる。
【００２３】
光源２２は、天板２１１に固定されており、室内に光を照射する。光源２２は、例えば、ＬＥＤ（Light Emitting Diode）、白熱電球、又は蛍光灯である。図３の例では、照明器具２は、光源２２を複数備えるが、１つ備えてもよい。また、光源２２は、天井１１に直接固定されてもよい。この場合、照明ケース２１は、天板２１１の代わりに、側板２１２を天井１１に固定するためのフランジを備えればよい。
【００２４】
枠体２３は、アルミニウムなどの金属やプラスチックにより形成された環状部材であり、天板２１１と対向するように、側板２１２の端部（図３における下端）に固定される。光拡散部材２４及び透光性シート２５は、枠体２３に対して固定される。枠体２３を用いることにより、照明器具２の施工性を高めることができる。
【００２５】
図５は、枠体２３の一例を示す斜視図である。図５の例では、枠体２３は、平面視形状が略正方形であり、その上端に、ねじ２５１及び固定部材２５２を用いて、透光性シート２５が固定されている。ねじ２５１及び固定部材２５２について、詳しくは後述する。なお、枠体２３の平面視形状は、正方形に限られず、長方形、多角形、円形、楕円形など、側板２１２の端部に取り付け可能な任意の形状に設計可能である。
【００２６】
光拡散部材２４は、アクリル、プラスチック、ガラス、グラスファイバー織物などにより形成された、光を拡散させる板状部材である。光拡散部材２４は、図３に示すように、枠体２３の一端（図３における下端）を覆うように、枠体２３に固定される。光拡散部材２４をこのように配置することにより、光源２２からの光は、光拡散部材２４により拡散され、室内に照射される。これにより、照明器具２は、室内を均一に照射することができる。また、光拡散部材２４を配置することにより、照明器具２の内部構造（光源２２や照明ケース２１の内側）が利用者に対して隠蔽され、照明器具２の美観を向上させることができる。
【００２７】
透光性シート２５は、可視光を透過させるシート状部材である。透光性シート２５は、枠体２３の他端（図３における上端）を覆うように、枠体２３に固定される。光源２２からの光は、透光性シート２５を透過した後、光拡散部材２４により拡散される。
【００２８】
透光性シート２５をこのように配置することにより、枠体２３の内側へのゴミ等の侵入が抑制される。これにより、ゴミ等が光拡散部材２４上に堆積することによる、照明器具２の美観の低下を抑制することができる。ゴミ等の侵入を抑制するために、透光性シート２５は、枠体２３の内側を密閉するのが好ましい。ここでいう密閉とは、ゴミ等が侵入しない程度に枠体２３の上端を塞ぐことをいう。
【００２９】
図６は、枠体２３に対する透光性シート２５の固定部分を拡大した部分拡大断面図である。図６の例では、透光性シート２５は、枠体２３の上端に、ねじ２５１及び板状の固定部材２５２を用いて固定されている。
【００３０】
具体的には、ねじ２５１が、枠体２３の上端に対して固定部材２５２を押圧するように、枠体２３の上端に固定されており、透光性シート２５は、枠体２３の上端と、固定部材２５２と、の間に挟んで固定されている。図６に示すように、固定部材２５２のうち、透光性シート２５と接する部分の少なくも一部を、枠体２３の上端側に突出させることにより、透光性シート２５をより強く固定し、透光性シート２５をずれにくくすることができる。
【００３１】
なお、透光性シート２５の固定方法は図６の例に限られない。透光性シート２５は、枠体２３の上端に、接着剤やねじにより、直接的に固定されてもよい。
【００３２】
透光性シート２５として、ガラス、アクリル、又はプラスチック製のシートや、繊維状シートなど、任意の透明なシートを利用できる。ただし、本実施形態では、透光性シート２５は、光触媒化合物２６を担持する担体として利用されるため、繊維状シートであるのが好ましい。透光性シート２５として繊維状シートを利用することにより、透光性シート２５に対して光触媒化合物２６を効率的に固着させることができる。
【００３３】
光触媒化合物２６は、光触媒を含む化合物である。光触媒は、光を照射されることにより触媒効果を発揮し、近傍の空気中の酸素や水と反応し、活性酸素や水酸ラジカルを発生させる。活性酸素や水酸ラジカルの酸化力により、空気中の臭いの原因物質が分解され、ウィルスが不活性化される。すなわち、光触媒は、光を照射されると、消臭効果及び抗菌効果を発揮する。
【００３４】
本実施形態において、光触媒化合物２６は、図３に示すように、透光性シート２５の一面（図３における上面）に塗布され、透光性シート２５の上面に層を形成する。すなわち、光触媒化合物２６は、透光性シート２５に担持される。光触媒化合物２６は、透光性シート２５に予め塗布されていてもよいし、透光性シート２５を枠体２３に固定した後に、透光性シート２５に塗布されてもよい。いずれの場合も、枠体２３を照明ケース２１に固定し、光源２２を点灯すると、光触媒化合物２６は、光源２２からの光を照射され、消臭効果及び抗菌効果を発揮する。これにより、カゴの室内が消臭され、抗菌される。
【００３５】
光触媒化合物２６は、光触媒として酸化チタンを含む酸化チタン化合物であってもよいし、光触媒として酸化タングステンを含む酸化タングステン化合物であってもよい。光源２２からの光は可視光成分を多く含むため、光触媒化合物２６は、可視光の照射により触媒効果を強く発揮する酸化タングステンを含む、酸化タングステン化合物であるのが好ましい。
【００３６】
換気装置３は、吸気口３１と、排気口３２と、をし、吸気口３１から吸気した空気を排気口３２から排気することにより、室内の空気を循環させる。換気装置３は、図示省略されているが、換気装置３は、空気を吸気及び排気するためのモータやファンを備える。また、図３の例では、換気装置３は、カゴの室内に設置されており、側板２１２に固定されているが、天井１１や側板１２に固定されていてもよい。また、換気装置３は、カゴの室外に設置されてもよい。
【００３７】
吸気口３１は、照明器具２の外側に向かって開口するように配置される。また、排気口３２は、側板２１２に向かって開口し、側板２１２の開口部２１３と少なくとも一部が重複するように配置される。側板２１２が排気口３２と対応する開口部を有する場合は、この開口部に対応するように、排気口３２は配置してもよい。
【００３８】
次に、本実施形態におけるカゴの動作について、図７及び図８を参照して説明する。図７及び図８は、換気装置３が生じさせる気流を説明する部分拡大断面図である。図７及び図８における矢印は、換気装置３が生じさせる気流を模式的に示している。
【００３９】
換気装置３は、図７に示すように、吸気口３１から、室内における照明器具２の外側の空気を給気し、排気口３２から排気する。排気口３２から排気された空気は、開口部２１３を介して、照明器具２内における、照明ケース２１と光触媒化合物２６との間の空間に排気される。
【００４０】
この空間に排気された空気は、光源２２からの光を照射された光触媒化合物２６によって、消臭及び抗菌される。消臭及び抗菌された空気は、図８に示すように、換気装置３が生じさた気流に従って、側板２１２の開口部２１３を介して、室内における照明器具２の外側に流出する。照明器具２の外側に流出した空気は、換気装置３の吸気口３１から再び給気される。結果として、室内の空気は、照明器具２の外側と、照明器具２の内側（照明ケース２１と光触媒化合物２６との間の空間）と、の間を循環する。
【００４１】
以上説明した通り、本実施形態に係るカゴは、光源２２からの光を照射される光触媒化合物２６を備え、この光触媒化合物２６により、室内の空気を消臭及び抗菌することができる。光触媒化合物２６は、光源２２からの光を照射される限り、触媒効果を発揮する。したがって、本実施形態に係るカゴは、消臭効果及び抗菌効果を維持するための特別な保守作業を行うことなく、消臭効果及び抗菌効果を容易に維持することができる。
【００４２】
また、本実施形態では、換気装置３が、室内の空気を、照明器具２の外側と内側との間で循環させる。そして、光触媒化合物２６が、この換気装置３が生じさせる気流の流路上に配置される。これにより、室内の空気を効率的に消臭及び抗菌することができる。
【００４３】
なお、以上の説明では、光触媒化合物２６は、透光性シート２５の上面にのみ塗布されたが、室内の他の部分に塗布されてもよい。例えば、光触媒化合物２６は、室内の壁面の一部（天井１１、側板１２、床板１３、及びドア１４など）に塗布されてもよいし、照明器具２の一部（天板２１１、側板２１２、及び光拡散部材２４など）に塗布されてもよい。すなわち、室内の壁面の一部や照明器具２の一部を光触媒化合物２６の担体として利用してもよい。いずれの場合も、光触媒化合物２６は、光源２２からの光を照射され、消臭効果及び抗菌効果を発揮する。
【００４４】
また、換気装置３の吸気口３１と排気口３２とは逆でもよい。この場合、図７及び図８に示した気流の向きが逆になる。また、カゴは、換気装置３とは別に、室内の空気と室外の空気とを循環させる換気装置を備えてもよい。
【００４５】
（第２実施形態）
第２実施形態に係るエレベータのカゴについて、図９を参照して説明する。本実施形態では、透光性シート２５の固定方法の他の例について説明する。図９は、枠体２３に対する透光性シート２５の固定部分を拡大した部分拡大断面図である。
【００４６】
本実施形態では、図９に示すように、枠体２３は、上端に溝２３１を有する。溝２３１は、枠体２３の上端の全周に形成される。透光性シート２５は、溝２３１と、固定部材２５３と、の間に挟んで固定される。このため、本実施形態に係る透光性シート２５は、溝２３１に埋め込み可能な可撓性を有する。透光性シート２５は、例えば、繊維状シートであるのが好ましい。
【００４７】
本実施形態において、固定部材２５３は、ゴムやプラスチックにより形成された環状の弾性部材である。固定部材２５３は、溝２３１の径より太く形成され、弾性変形した状態で、溝２３１にはめこまれる。
【００４８】
このような構成により、本実施形態では、透光性シート２５を枠体２３に固定するための工具が不要となり、照明器具２の施工性を向上させることができる。また、透光性シート２５は、固定部材２５３によりその全周が固定される。これにより、透光性シート２５にしわがよりにくくすることができる。
【００４９】
（第３実施形態）
第３実施形態に係るエレベータのカゴについて、図１０〜図１２を参照して説明する。本実施形態では、光触媒化合物２６が透光性シート２５に塗布されない場合について説明する。図１０は、本実施形態に係るカゴの天井１１部分を拡大した部分拡大断面図である。図１０のカゴでは、光触媒化合物２６は、透光性シート２５の上面の代わりに、側板２１２の内面に塗布されている。他の構成は、第１実施形態と同様である。
【００５０】
図１１及び図１２は、換気装置３が生じさせる気流を説明する部分拡大断面図である。図１１及び図１２に示すように、側板２１２は、換気装置３が生じさせる気流の流路上に位置する。このため、側板２１２の内面に光触媒化合物２６を塗布すると、光触媒化合物２６を、換気装置３が生じさせる気流の流路上に配置することができる。したがって、本実施形態に係るカゴであっても、第１実施形態と同様に、室内の空気を効率的に消臭及び抗菌することができる。
【００５１】
なお、側板２１２の内面に光触媒化合物２６を塗布する場合には、側板２１２の内面に繊維状のシートを貼り、その上に光触媒化合物２６を塗布してもよい。これにより、光触媒化合物２６を側板２１２の内面に効率的に固着させることができる。
【００５２】
また、光触媒化合物２６は、側板２１２の内面だけでなく、天板２１１の内面や、室内の壁面の一部に塗布されてもよい。
【００５３】
（第４実施形態）
第４実施形態に係るエレベータのカゴについて、図１３を参照して説明する。本実施形態では、照明器具２が間接照明である場合について説明する。図１３は、本実施形態に係るカゴの天井１１部分を拡大した部分拡大断面図である。
【００５４】
図１３に示すように、本実施形態に係る照明器具２は、照明ケース２１と、光源２２と、光触媒化合物２６と、反射材２７と、を備える。
【００５５】
図１３の照明ケース２１は、断面Ｌ字型の板状部材であり、側板２１２と、底板２１４と、を備える。側板２１２は、一端が天井１１に固定されており、天井１１から垂直な方向に延びている。底板２１４は、側板２１２の他端から、天井１１と平行な方向に延びている。光源２２は、照明ケース２１の底板２１４上に、天井１１に向かって光を照射するように配置される。
【００５６】
反射材２７は、天井１１に固定され、光源２２からの光を照射され、照射された光を反射する。反射材２７の反射光により、室内が照らされる。反射材２７は、光を反射する任意の材料により形成可能である。
【００５７】
本実施形態において、光触媒化合物２６は、反射材２７の一面（図１３における下面）に塗布されている。すなわち、本実施形態では、反射材２７が光触媒化合物２６の担体として利用されている。
【００５８】
以上説明した通り、本実施形態に係るカゴは、光触媒化合物２６を備え、光触媒化合物２６には、光源２２から光が照射される。したがって、本実施形態に係るカゴは、第１実施形態と同様に、消臭効果及び抗菌効果を維持するための特別な保守作業を行うことなく、消臭効果及び抗菌効果を容易に維持することができる。
【００５９】
なお、本実施形態では、カゴは、室内の空気を循環させる換気装置３を備えなくてもよい。これは、図１３の照明器具２では、光触媒化合物２６が照明ケース２１から露出しており、ドア１４の開閉や利用者の移動により生じる室内の空気の循環だけで、室内の空気を効率的に消臭及び抗菌することができるためである。
【００６０】
また、反射材２７の下面に繊維状のシートを貼り、その上に光触媒化合物２６を塗布してもよいし、反射材２７自体が繊維状のシートにより形成されてもよい。これにより、光触媒化合物２６を反射材２７の下面に効率的に固着させることができる。
【００６１】
また、照明器具２の構成は、図１３のものに限られず、任意に設計可能である。また、光触媒化合物２６は、天井１１だけでなく、室内の壁面の他の部分に塗布されてもよい。
【００６２】
（第５実施形態）
第５実施形態に係るエレベータのカゴについて、図１４及び図１５を参照して説明する。本実施形態では、室内に光触媒化合物２６を噴霧する場合について説明する。図１４は、本実施形態に係るカゴの概略構成を示す断面図である。図１４のカゴは、カゴ本体１と、照明器具２と、換気装置３と、噴霧装置４と、を備える。
【００６３】
図１４の例では、換気装置３は、カゴの外側に設置されており、天井１１に固定されている。換気装置３は、カゴの外側の空気を給気し、カゴの室内に排気する。これにより、天井１１から下方向への気流が生じる。
【００６４】
図１５は、図１４の天井１１部分を拡大した部分拡大断面図である。図１５に示すように、噴霧装置４は、貯水タンク４１と、パイプ４２と、噴霧器４３と、を備える。
【００６５】
貯水タンク４１は、カゴの外側に設置されており、天井１１に固定されている。貯水タンク４１は、内部に水溶液４４を貯水する。水溶液４４は、光触媒化合物２６を含む液体である。なお、貯水タンク４１は、カゴの室内に設置されていてもよい。
【００６６】
パイプ４２は、貯水タンク４１と噴霧器４３とを接続する。貯水タンク４１に貯水された水溶液４４は、パイプ４２を介して、噴霧器４３に供給させる。
【００６７】
噴霧器４３は、カゴの室内に設置され、照明器具２に固定されている。噴霧器４３は、貯水タンク４１からパイプ４２を介して供給された水溶液４４を噴霧する。噴霧器４３が水溶液４４を噴霧するタイミングは任意に設計可能である。例えば、噴霧器４３は、所定の時間間隔で噴霧してもよいし、ドアの開閉や呼びの登録などのイベントの発生に応じて噴霧してもよい。なお、噴霧器４３は、天井１１や側壁１２に固定されてもよいし、カゴの外側に設置されてもよい。
【００６８】
図１５に示すように、噴霧器４３は、換気装置３が生じさせる気流に向かって、水溶液４４を噴霧する。これにより、噴霧器４３が噴霧した水溶液４４が、気流に乗って室内に効率的に散布される。
【００６９】
室内に散布された水溶液４４は、室内の壁面、照明器具２、及びカゴの利用者などに付着し、照明器具２からの光を照射される。水溶液４４が光を照射されると、水溶液４４に含まれる光触媒化合物２６が触媒効果を発揮し、室内の空気を消臭及び抗菌する。
【００７０】
以上説明した通り、本実施形態に係るカゴは、噴霧装置４によって水溶液４４を室内に噴霧し、水溶液４４に含まれる光触媒化合物２６の触媒効果によって室内の空気を消臭及び抗菌する。したがって、本実施形態に係るカゴは、貯水タンク４１に水溶液４４を補充するだけで、消臭効果及び抗菌効果を容易に維持することができる。
【００７１】
また、噴霧器４３は、換気装置３が生じさせた気流に向かって水溶液４４を噴霧する。これにより、水溶液４４を効率的に室内に散布し、室内の消臭及び抗菌を効率的に行うことができる。
【００７２】
なお、噴霧装置４の構成は、図１５のものに限られない。噴霧装置４として、水溶液４４を室内に噴霧可能な任意の装置を利用できる。
【００７３】
なお、本発明は上記各実施形態そのままに限定されるものではなく、実施段階ではその要旨を逸脱しない範囲で構成要素を変形して具体化できる。また、上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【符号の説明】
【００７４】
１：カゴ本体、２：照明器具、３：換気装置、４：噴霧装置、１１：天井、１２：側板、１３：床板、２１：照明ケース、２２：光源、２３：枠体、２４：光拡散部材、２５：透光性シート、２６：光触媒化合物、２７：反射材、４１：貯水タンク、４２：パイプ、４３：噴霧器、４４：水溶液、２１１：天板、２１２：側板、２１３：開口部、２１４：底板、２３１：溝、２５１：ねじ、２５２，２５３：固定部材
【図１】
2017100854.tif 000003
【図２】
2017100854.tif 000004
【図３】
2017100854.tif 000005
【図４】
2017100854.tif 000006
【図５】
2017100854.tif 000007
【図６】
2017100854.tif 000008
【図７】
2017100854.tif 000009
【図８】
2017100854.tif 000010
【図９】
2017100854.tif 000011
【図１０】
2017100854.tif 000012
【図１１】
2017100854.tif 000013
【図１２】
2017100854.tif 000014
【図１３】
2017100854.tif 000015
【図１４】
2017100854.tif 000016
【図１５】
2017100854.tif 000017
【手続補正書】
【提出日】平成29年1月31日(2017.1.31)
【手続補正１】
【補正対象書類名】明細書
【補正対象項目名】０００９
【補正方法】変更
【補正の内容】
【０００９】
一実施形態に係るエレベータのカゴは、光源と、エレベータのカゴの室内の天井に取り付けられ前記光源が収容される照明ケースと、前記照明ケースに取り付けられ光拡散部材を保持する枠体と、を有する照明装置を備え、
前記光源から照射される光を受ける前記カゴの室内の被照射面に、光触媒化合物を担持する光触媒担体を設けている。
【手続補正２】
【補正対象書類名】特許請求の範囲
【補正対象項目名】全文
【補正方法】変更
【補正の内容】
【特許請求の範囲】
【請求項１】
光源と、エレベータのカゴの室内の天井に取り付けられ前記光源が収容される照明ケースと、前記照明ケースに取り付けられ光拡散部材を保持する枠体と、を有する照明装置を備え、
前記光源から照射される光を受ける前記カゴの室内の被照射面に、光触媒化合物を担持する光触媒担体を設けたエレベータのカゴ。
【請求項２】
前記カゴの室内の空気を循環させる換気装置を備え、前記光触媒担体が前記光触媒化合物を担持する面は、前記換気装置が生じさせる気流の流路上に配置される請求項１に記載のエレベータのカゴ。
【請求項３】
前記光触媒担体は、前記光拡散部材に対向して前記枠体を塞ぐように取り付けられ、前記光源からの光を透過させる透光性シートである請求項２に記載のエレベータのカゴ。
【請求項４】
前記透光性シートは、前記枠体の上端全周に亘って形成された溝に嵌合する弾性部材を介して固定される請求項３に記載のエレベータのカゴ。
【請求項５】
光触媒担体が前記光触媒化合物を担持する面は、前記換気装置が生じさせる気流の流路上に位置する前記照明ケースの側板の内面、または前記照明ケースの天板の内面、あるいはカゴの室内の壁面の一部である請求項２に記載のエレベータのカゴ。
【請求項６】
前記照明ケースは、前記光源から照射された光を天井に向けて反射させる反射面を有し、前記反射面が前記光触媒化合物を担持する面をなす請求項２に記載のエレベータのカゴ。